(57)【特許請求の範囲】
【請求項１】
回転走査装置により偏向走査したレーザビームを折り返し反射するミラーを有する書込み光学装置において、光学部品を収納するオプティカルハウジングに冷却用開口部を設け、かつその冷却用開口部の開閉をミラーの回動により行い、
前記書込み光学装置が作像状態のときは、前記ミラーが前記冷却用開口部を閉鎖した作像位置にあり、前記オプティカルハウジングが密閉状態に保たれており、
前記書込み光学装置が非作像状態のときには、前記ミラーが前記冷却用開口部を開放した位置へ移動することを特徴とする書込み光学装置。
【請求項２】
前記ミラーは、開及び閉のミラー位置以外に、通常の光路とは異なり、レーザビームが前記オプティカルハウジング外に出て行かない光路となるミラー位置に回動することを特徴とする請求項１記載の書込み光学装置。
【請求項３】
回動するミラーの位置を検知するための検知手段であって、前記ミラーが前記冷却用開口部を閉鎖した作像位置にないことを検知する検知手段を前記ミラーの近傍に設けたことを特徴とする請求項１又は２記載の書込み光学装置。
【発明の詳細な説明】
【０００１】
【発明の属する技術分野】
本発明は、プリンタ、複写機、ＦＡＸ等の画像形成装置に用いられる書込み光学装置に関する。
【０００２】
【従来の技術】
回転走査装置を使用する書込み光学装置においては、常に防音、防塵対策の問題がつきまとう。現在では特に高速化が求められているため、回転走査装置の高回転化に伴い、防音、防塵対策と共にオプティカルハウジング内部の温度上昇対策（冷却対策）の問題が重要視されてきている。
【０００３】
オプティカルハウジング内部の温度上昇対策に関連する従来技術として、特開平１１−５２２６７号公報及び特開平１１−２１８７１７号公報が挙げられる。特開平１１−５２２６７号公報では、光学箱（オプティカルハウジング）底部に空間を設け、そこに冷却風を流動させることにより、光学箱内部の温度上昇を防止する技術が開示されている。
【０００４】
また、特開平１１−２１８７１７号公報では、回転多面鏡の軸受け部、駆動ＩＣから発生する熱を、板金製の蓋を介して排紙トレイとの隙間に設けた風路に放熱することにより、光学箱内部の温度上昇を防止する技術が開示されている。
【０００５】
【発明が解決しようとする課題】
しかしながら、特開平１１−５２２６７号公報、特開平１０−２１８７１７号公報共に、冷却風の風路を設けて光学箱内部の熱を放熱しようとするもので、密閉した光学箱の外部を冷却風が流れるため十分な冷却効果は得られない。
【０００６】
本発明は、効率よくオプティカルハウジングの冷却を行うと共に、防音、防塵を図ることができる書込み光学装置を提供することを目的とする。
【０００７】
【課題を解決するための手段】
上記目的を達成するために請求項１記載の発明は、回転走査装置により偏向走査したレーザビームを折り返し反射するミラーを有する書込み光学装置において、光学部品を収納するオプティカルハウジングに冷却用開口部を設け、かつその冷却用開口部の開閉をミラーの回動により行い、前記書込み光学装置が作像状態のときは、前記ミラーが前記冷却用開口部を閉鎖した作像位置にあり、前記オプティカルハウジングが密閉状態に保たれており、前記書込み光学装置が非作像状態のときには、前記ミラーが前記冷却用開口部を開放した位置へ移動することを最も主要な特徴とする。
【０００８】
また、請求項２記載の発明は、請求項１記載の書込み光学装置において、前記ミラーは、開及び閉のミラー位置以外に、通常の光路とは異なり、レーザビームが前記オプティカルハウジング外に出て行かない光路となるミラー位置に回動することを特徴とする。
【０００９】
また、請求項３記載の発明は、請求項１又は２記載の書込み光学装置において、回動するミラーの位置を検知するための検知手段であって、前記ミラーが前記冷却用開口部を閉鎖した作像位置にないことを検知する検知手段を前記ミラーの近傍に設けたことを特徴とする。
【００１０】
【発明の実施の形態】
図１は一般的な書込み光学装置の概略構成図である。オプティカルハウジング１には、レーザビーム１７を回転走査する回転走査装置２、レーザビーム１７を集光させるためのＦＴＬ（エフシータレンズ）３、ＷＴＬ（湾曲形トロイダルレンズ）６、レーザビーム１７を折り返して所定の位置へと導く第１ミラー（ミラー）４、第２ミラー５、第３ミラー７、防塵ガラス８、カバー９とが設けられている。
【００１１】
本発明の実施の形態を、第１ミラー部を例として説明する。図２は本発明の第１の実施の形態に係る書込み光学装置の第１ミラー近傍の要部構成図である。
【００１２】
第１ミラー４には、ミラー保持部と回転中心部と腕部１０ａとからなるホルダ１０が設けられている。オプティカルハウジング１の第１ミラー部には冷却用開口部１１が設けられている。冷却用開口部１１は第１ミラー４をセットするための開口部を利用しており、冷却用開口部１１と第１ミラー４の間には弾性素材による防塵部材１２が設けられている。
【００１３】
書込み光学装置が作像状態のときは、第１ミラー４は冷却用開口部１１を閉鎖した作像位置にあり、オプティカルハウジング１は密閉状態に保たれている。
【００１４】
書込み光学装置が非作像状態で装置内の温度が上昇したときには、ソレノイド１３が作動し、図２に示す矢印Ａ方向にバネ１４の力に抗してホルダ１０の腕部１０ａを引張り、第１ミラー４を開放位置（図のＢ位置）へ移動させる。冷却用開口部１１は開放されている状態となり、オプティカルハウジング１の内部の温度を効率よく下げることができる。
【００１５】
再度作像状態に戻るときには、ソレノイド１３がＯＦＦとなり、バネ１４の復元力により第１ミラー４は作像位置に戻され、冷却開口部１１は閉鎖され、オプティカルハウジング１は密閉状態となる。
【００１６】
図３は本発明の第２の実施の形態に係る書込み光学装置の第１ミラー近傍の要部構成図であり、図４は図３の第１ミラーが開放位置にある状態を示す図であり、図５は図３の第１ミラーが安全装置位置にある状態を示す図である。
【００１７】
カム１５を回転させることにより、ホルダ１０の腕部１０ａが移動し、それに伴い第１ミラー４の位置が移動する。
【００１８】
図３に示す状態は第１ミラー４が作像位置にあり、冷却開口部１１は閉鎖されている。図４に示す状態は第１ミラー４が開放位置にあり、オプティカルハウジング１の内部の温度を下げることができる。
【００１９】
図５に示す状態は第１ミラーが安全装置位置にあり、第１ミラー４は図３に示す作像位置とは違う取付け角度を保っているので、この状態でレーザビーム１７が発光されてもレーザビーム１７はオプティカルハウジング１の外側へ出ることはない。
【００２０】
このように、通常の光路とは別に書込み光学装置の外部にレーザビーム１７が出て行かない光路となるようなミラー位置が選択可能なため、新たにシャッター機構等の安全機構を設ける必要がなくなる。また、図５に示すように冷却開口部１１が完全に開放されていないため、オプティカルハウジング１の内部にホコリ等が入り込むのを防止することができる。
【００２１】
図６は本発明の第３の実施の形態に係る書込み光学装置の第１ミラー近傍の要部構成図である。第１ミラー４の近傍には位置検知手段であるセンサ１６が設けられており、第１ミラー４が所定の作像位置に戻らなかった場合にセンサ１６によって検知される。これにより、ミラー位置の異常による不具合発生を事前に防止することができる。
【００２２】
【発明の効果】
請求項１記載の発明によれば、光学部品を収納するオプティカルハウジングに冷却用開口部を設け、かつその冷却用開口部の開閉をミラーの回動により行うので、冷却用開口部によりオプティカルハウジング内部の温度を効率よく下げることができる。
【００２３】
請求項２記載の発明によれば、ミラーは開及び閉のミラー位置以外に、通常の光路とは異なる光路となるミラー位置に回動するので、新たにシャッター機構等の安全機構を設ける必要がなくなる。また、このミラー位置は冷却開口部が開放されていないため、ハウジング内部にホコリ等が入り込むのを防止することができる。
【００２４】
請求項３記載の発明によれば、回動するミラーの位置を検知するための検知手段を設けたので、ミラー位置の異常による不具合発生を事前に防止することができる。
【図面の簡単な説明】
【図１】一般的な書込み光学装置の概略構成図である。
【図２】本発明の第１の実施の形態に係る書込み光学装置の第１ミラー近傍の要部構成図である。
【図３】本発明の第２の実施の形態に係る書込み光学装置の第１ミラー近傍の要部構成図である。
【図４】図３の第１ミラーが開放位置にある状態を示す図である。
【図５】図３の第１ミラーが安全装置位置にある状態を示す図である。
【図６】本発明の第３の実施の形態に係る書込み光学装置の第１ミラー近傍の要部構成図である。
【符号の説明】
１  オプティカルハウジング
２  回転走査装置
４  第１ミラー（ミラー）
１１  冷却用開口
１６  センサ（検知手段）
１７  レーザビーム
【図１】
0004035316.tif 000002
【図２】
0004035316.tif 000003
【図３】
0004035316.tif 000004
【図４】
0004035316.tif 000005
【図５】
0004035316.tif 000006
【図６】
0004035316.tif 000007